(57)【特許請求の範囲】
【請求項１】
運転訓練シミュレータにおいて、訓練時に設定するマルファンクション項目を格納するマルファンクション項目格納手段（１）と、被訓練者がマルファンクション項目に応じて操作した内容を格納する運転操作状態格納手段（２）と、運転訓練中に発生する警報事象を格納する警報状態格納手段（３）と、前記運転操作状態格納手段及び警報状態格納手段に格納されたデータを基に前記マルファンクション項目及び警報事象に対応して操作する操作器及び操作手順のデータを格納する操作対象データ格納手段（４）と、前記各格納手段からのデータを基に現在操作している操作器及び以後操作すべき操作器を特定する監視対象操作器判定手段（５）と、操作盤上における各操作器の位置データを格納する操作器取付位置格納手段（６）と、監視カメラ（８）と、前記監視対象操作器判定手段及び操作器取付位置格納手段からのデータを基に監視カメラの撮影条件を制御する監視カメラ制御手段（７）とを有してなることを特徴とする運転訓練シミュレータの被訓練者監視装置。
【発明の詳細な説明】
【０００１】
【発明の属する技術分野】
本発明は運転訓練シミュレータにおける被訓練者の監視装置に関する。
【０００２】
【従来の技術】
運転訓練シミュレータに装備されている従来の被訓練者監視装置では、遠隔調整機能を有する監視カメラを手動で操作して被訓練者の運転操作を追尾している。また、広角レンズを装着した固定カメラを使用して、被訓練者の行動空間を広範囲映像によって監視する手法も採用されている。
【０００３】
【発明が解決しようとする課題】
前記従来方式の監視装置においては、被訓練者の運転操作の詳細な観察のためには、監視カメラの視軸の方向と仰角及び焦点距離を遠隔制御して追尾する必要があった。また、広角レンズを装着した固定カメラを使用した場合には、被訓練者の操作の細部にわたる映像が小さくなり判別が困難であった。
【０００４】
本発明では前記問題点を解決し、当該訓練における運転操作で使用する操作器をリアルタイムで自動判定し、該操作器の取付位置情報に基づき各操作器及び被訓練者を含む周辺の状況を包絡し得るように監視カメラの視軸の方向と仰角及び焦点距離を制御し、的確な観察映像を収録し得る運転訓練シミュレータの被訓練者監視装置を提供することを目的としている。
【０００５】
【課題を解決するための手段】
本発明の運転訓練シミュレータの被訓練者監視装置は、訓練時に設定するマルファンクション項目を格納するマルファンクション項目格納手段１と、被訓練者がマルファンクション項目に応じて操作した内容を格納する運転操作状態格納手段２と、運転訓練中に発生する警報事象を格納する警報状態格納手段３と、前記運転操作状態格納手段及び警報状態格納手段に格納されたデータを基に前記マルファンクション項目及び警報事象に対応して操作する操作器及び操作手順のデータを格納する操作対象データ格納手段４と、前記各格納手段からのデータを基に現在操作している操作器及び以後操作すべき操作器を特定する監視対象操作器判定手段５と、操作盤上における各操作器の位置データを格納する操作器取付位置格納手段６と、監視カメラ８と、前記監視対象操作器判定手段及び操作器取付位置格納手段からのデータを基に監視カメラの撮影条件を制御する監視カメラ制御手段７とを有してなることを特徴としている。
【０００６】
【発明の実施の形態】
本発明による運転訓練シミュレータの被訓練者監視装置の実施の形態につき図１，２を参照して説明する。図１は被訓練者監視装置の構成説明ブロック図で、図２は該装置の作用説明ブロック図である。
【０００７】
図１において、１は訓練時に設定するマルファンクション項目を格納するマルファンクション項目格納手段であり、格納するデータにはマルファンクションに関する箇所、事故量、当該運転対処のための操作が必要な操作器の名称及び操作手順（規範）が含まれる。
２は運転操作状態格納手段で、被訓練者がマルファンクション項目に応じて操作した内容を格納する時系列スタックである。
【０００８】
３は警報状態格納手段で、運転訓練中に発生する警報事象を格納する時系列スタックである。
４は操作対象データ格納手段であり、前記運転操作状態格納手段２及び警報状態格納手段３に格納されたデータを基に前記マルファンクション項目並びに警報事象に対応して操作する操作器及び操作手順（規範）のデータベースである。
【０００９】
５は監視対象操作器判定手段であり、前記マルファンクション項目格納手段１に格納されている操作手順データに関わる操作器のうち、操作が未完了の操作器を運転操作状態格納手段２に格納されているデータと照合して抽出すると共に、警報状態格納手段３に格納されている警報事象に対応する関連操作器を前記操作対象データ格納手段４のデータベースから検索し抽出する。なお、該監視対象操作器判定手段５での処理は設定した周期で繰り返し実行される。
【００１０】
６は操作器取付位置格納手段であり、操作盤に配設されている各操作器についての位置のデータが格納され、位置のデータは例えば操作盤に対して左端側上端部を基準とする２次元座標で取扱う。
８は監視カメラである。
【００１１】
７は監視カメラ制御手段で、前記監視対象操作器判定手段５によって判定した監視対象操作器の位置のデータを操作器取付位置格納手段６のデータベースから操作器ネームをインデックスとして読み出し、監視カメラ８の取付位置を考慮しつつ監視の対象とする操作器群及び被訓練者を含む周辺の状況を的確に包絡するように監視カメラ８を駆動する指令信号を出力する。
【００１２】
次に図２を参照してその作用について説明する。
訓練項目のマルファンクションに対応して運転対処のための操作が必要な操作器の名称及び操作手順をデータベース化しておく。同様に発せられた警報に対応すべき操作器もデータベース化しておくが、前記マルファンクションに関わるものだけに限らない。更に操作盤上の各種操作器の取付位置についても基準位置からの取付高さ、水平方向への距離などをデータベース化しておく。
【００１３】
監視対象操作器判定手段５は次の２つの処理機能を有している。第１の機能は、シミュレータによる訓練中、実行中のマルファンクション項目、運転操作状態、警報状態のデータを入力し、現操作中及び現時点以降において操作するであろう操作器を判定することであり、第２の機能は、規範に反する操作や過誤による操作については、警報事象に対応する操作器のデータベース４を検索して必要とする操作器を判定することである。
【００１４】
前記２つの処理機能が並行して進められ被訓練者が操作すべき監視対象操作器が判定される。該監視対象操作器の操作盤への取付位置を操作器取付位置のデータベース６から検索し、該操作器の取付位置を包絡する映像が得られるように監視カメラ制御手段７により監視カメラ８の視軸の方向と仰角及び焦点距離を自動的に調整する。
【００１５】
【発明の効果】
本発明の運転訓練シミュレータの被訓練者監視装置においては、訓練項目のマルファンクションに対処する操作器と操作手順、警報に対応すべき操作器及び操作盤上に配設した各操作器の取付位置をデータベース化し、入力したマルファンクション項目、運転操作状況、警報発生状況のデータを総合的に判定することにより、監視対象の操作器群と被訓練者の操作を的確に包絡した監視映像を得ることができる。
【００１６】
特に被訓練者の運転操作が規範から大きく逸脱しているような場合においても、被訓練者及び関連操作器を含む観察用映像が得られるように動作する自在性を有していることを特徴としている。
【図面の簡単な説明】
【図１】本発明の実施の形態に係る運転訓練シミュレータの被訓練者監視装置の構成説明ブロック図。
【図２】図１に示した装置の作用説明ブロック図。
【符号の説明】
１…マルファンクション項目格納手段、２…運転操作状態格納手段、３…警報状態格納手段、４…操作対象データ格納手段、５…監視対象操作器判定手段、６…操作器取付位置格納手段、７…監視カメラ制御手段、８…監視カメラ。
【図１】
0003564204.tif 000002
【図２】
0003564204.tif 000003